(57)【要約】【課題】製造コストを低減し、組み立て作業を容易におこなうことができる。【解決手段】配置面に立設される支柱と、一方の面を正面として方形状に形成され支柱に一方の側部を支持されるフェンスと、フェンスの一方の側部の上部で支柱側に突出して設けられフェンスの正面と同じ側の支柱の正面側外面の半周分を支承する上側凹状係合部と、フェンスの一方の側部の下部で支柱側に突出して設けられ支柱の正面側外面の半周分を支承する下側凹状係合部と、上側凹状係合部と下側凹状係合部との間の一方の側部で支柱側に突出して設けられ、フェンスの正面側と反対のフェンスの裏面側と同じ側の支柱の裏面側外面を支承する中間受部と、を備える。【選択図】図１
2016176296.tif 000002
【特許請求の範囲】
【請求項１】
配置面に立設される支柱と、
一方の面を正面として方形状に形成され前記支柱に一方の側部を支持されるフェンスと、
前記フェンスの前記一方の側部の上部で前記支柱側に突出して設けられ前記フェンスの前記正面と同じ側の前記支柱の正面側外面の半周分を支承する上側凹状係合部と、
前記フェンスの前記一方の側部の下部で前記支柱側に突出して設けられ前記支柱の前記正面側外面の半周分を支承する下側凹状係合部と、
前記上側凹状係合部と前記下側凹状係合部との間の前記一方の側部で前記支柱側に突出して設けられ、前記フェンスの前記正面側と反対の前記フェンスの裏面側と同じ側の前記支柱の裏面側外面を支承する中間受部と、
を備える組立式フェンス。
【請求項２】
前記フェンスは、二本の前記支柱の間に設けられ、
一方の前記支柱には、前記フェンスと前記フェンスに隣接する一方の隣接フェンスとが支持され、
前記上側凹状係合部、前記下側凹状係合部および前記中間受部は、前記フェンスおよび前記一方の隣接フェンスの両側の側部に夫々設けられ、
前記一方の支柱に前記フェンスと前記一方の隣接フェンスとが支持されたとき、前記フェンスの前記一方の側部に設けられた前記上側凹状係合部、前記下側凹状係合部および前記中間受部と、前記一方の隣接フェンスの他方の側部に設けられた前記上側凹状係合部、前記下側凹状係合部および前記中間受部とは、干渉しないように上下にずれた高さ位置に夫々設けられる
請求項１記載の組立式フェンス。
【請求項３】
また、各前記支柱の外面には、前記支柱の軸線方向に対して直角な方向に沿って突出する係止部を夫々備え、
前記一方の支柱における前記係止部は、前記一方の支柱に支持された前記フェンスの前記一方の側部に設けられた前記上側凹状係合部、前記下側凹状係合部および前記中間受部のうちのいずれかの下端部を支持し、
他方の前記支柱における前記係止部は、前記フェンスに前記他方の支柱側で隣接する他方の隣接フェンスの前記一方の側部に設けられた前記上側凹状係合部、前記下側凹状係合部７ｂおよび前記中間受部のいずれかの下端部を支持し、前記他方の支柱に支持された前記他方の隣接フェンスの前記一方の側部に設けられた前記上側凹状係合部、前記下側凹状係合部および前記中間受部のいずれかは、前記フェンスの前記他方の側部に設けられた前記上側凹状係合部、前記下側凹状係合部および前記中間受部のうちのいずれかの下端部を支持する
請求項２に記載の組立フェンス。
【請求項４】
前記支柱の先端には、水平面上において、前記上側凹状係合部の凹状内壁が形成する内接円の曲率半径よりも大きな半径となる外接円を外周に有する頭部が、前記支柱の先端に対して夫々着脱可能に設けられている請求項１乃至３のいずれか１項に記載の組立式フェンス。
【請求項５】
前記支柱の下部には、前記配置面に差し込み可能な差込部が設けられている請求項１乃至４のいずれか１項に記載の組立式フェンス。
【請求項６】
前記支柱の下部には、前記差込部に対して平行な方向に沿って延在する第二の差込部が並設されている請求項５に記載の組立式フェンス。
【請求項７】
前記支柱の下端部には、前記配置面に載置され前記支柱を支持する台座が設けられ、
前記フェンスにおける両側の側部における前記上側凹状係合部、前記下側凹状係合部および前記中間受部が、所定の間隔で立設された二本の前記支柱に夫々係合された状態において、
前記フェンスの下端隅部は、前記台座との間に所定隙間を介して配置される形状に形成され、
前記フェンスの下端は、前記台座が載置された前記配置面との間に所定の下端隙間を設けて配置される形状に形成されている請求項２乃至４のいずれか１項に記載の組立式フェンス。
【発明の詳細な説明】
【技術分野】
【０００１】
本発明は、施工のための特別な工事を必要としないで容易に組立てることができるフェンスに関する。
【背景技術】
【０００２】
従来、組立式フェンスは、特別な工事を必要としないで、簡易にフェンスが施工できることを意図するものとして知られている。
従来技術として図１９、図２０には、組立式フェンスが記載されている。この組立式フェンスを構成する一枚のフェンス１０１の両側の側部には、夫々上下に環状の上側係合部１０２Ｒ、１０２Ｌおよび下側係合部１０３Ｒ，１０３Ｌを備えている。これらの係合部は、図１９において右側の上側係合部１０２Ｒおよび下側係合部１０３Ｒが左側の上側係合部１０２Ｌおよび下側係合部１０３Ｌよりも少し低い位置に夫々設けられている。これによって、隣り合うフェンス１０１，１０４を同じ支柱１０５に組み付けた際に、上下方向に相互にずれることで、隣り合うフェンス１０１，１０４が同じ高さで組み付けられるようになっている。支柱１０５は、地面に差し込むことで固定するようになっている。また、フェンス１０１の高さは、配置面ＧＤにフェンス１０１の下端部を当接することで、調整するようになっている。
【発明の概要】
【発明が解決しようとする課題】
【０００３】
従来、組立式フェンス（図１９、図２０）は、フェンス１０１の上下の両端部に設けられ支柱１０５に係合する上側係合部１０２Ｒ、１０２Ｌおよび下側係合部１０３Ｒ，１０３Ｌがリング状である。そのため、組み付ける際にはフェンス１０１を先に立てて保持し（フェンスの立設）、上方に高く掲げた支柱１０５の下端を、上側係合部１０２Ｒ、１０２Ｌおよび下側係合部１０３Ｒ，１０３Ｌのリング状の嵌合穴に通す方法で行なう必要がある。
【０００４】
また、支柱１０５を先に地面に立てて（支柱の立設）支柱１０５の高さや傾きを統一して、後からフェンス１０１を組み付けたい場合に、支柱１０５の装飾用の頭部１０５ａを取り外したとしても、各支柱１０５に組み付ける全てのフェンス１０１を支柱１０５よりも高く持ち上げて、各フェンス１０１の下側係合部１０３Ｒ，１０３Ｌの嵌合穴、上側係合部１０２Ｒ、１０２Ｌの嵌合穴の順に支柱１０５を通さなければならず、実際には実施不可能であるという問題があった。
【０００５】
また、組立式フェンスは、錆や再塗装の問題を解消するため、アルミニウム合金製鋳物とする場合が多い。しかし、従来の組立式フェンス（図１９、図２０）は、前述のように、係合部がリング状であるため、リング状の係合部を鋳型で鋳造するには、鋳型内に中子を配置しなければならず鋳造費用が高額となるという問題があった。
本発明は、上述した問題を解消するためになされたもので、製造コストを低減し、組み付け作業を容易におこなうことができる組立式フェンスを提供することを目的とする。
【課題を解決するための手段】
【０００６】
上記の課題を解決するために、本発明の組立式フェンスは、配置面に立設される支柱と、一方の面を正面として方形状に形成され前記支柱に一方の側部を支持されるフェンスと、前記フェンスの前記一方の側部の上部で前記支柱側に突出して設けられ前記フェンスの前記正面と同じ側の前記支柱の正面側外面の半周分を支承する上側凹状係合部と、前記フェンスの前記一方の側部の下部で前記支柱側に突出して設けられ前記支柱の前記正面側外面の半周分を支承する下側凹状係合部と、前記上側凹状係合部と前記下側凹状係合部との間の前記一方の側部で前記支柱側に突出して設けられ、前記フェンスの前記正面側と反対の前記フェンスの裏面側と同じ側の前記支柱の裏面側外面を支承する中間受部と、を備える。
なお、本願の特許請求の範囲および明細書の記載におけるフェンスの「正面」は、実際に組立フェンスが使用された場合の正面を必ずしも意味するものではなく、上側凹状係合部などの形状との位置関係を整理して説明するために、フェンスの一方の面を正面として表現している。
【発明の効果】
【０００７】
本発明によると、上側凹状係合部および下側凹状係合部は、支柱の正面側を支承し、中間受部は支柱の裏面側を支承する。そのため、支柱は、上部下部の正面側外面の半周分が、上側凹状係合部および下側凹状係合部に中間受部により押し付けられた状態で保持される。これによって、フェンスの正面および裏面方向の傾きは、支柱の正面側の上部および下部が、中間受部により上側凹状係合部および下側凹状係合部に押し付けられることで規制される。
【０００８】
また、支柱は、上部下部の正面側外面の半周分が、上側凹状係合部および下側凹状係合部に中間受部により押し付けられた状態で、外れないように保持される。そして、支柱の側面（正面と裏面との境界に存在する面）に対向する上側凹状係合部および下側凹状係合部の周方向の先端縁部または基端縁部は、支柱の側面外面を夫々支持する。これによって、フェンスの正面（裏面）に沿った方向のフェンスの傾きが規制される。したがって、支柱にフェンスを係合する係合部がリング状でなくとも、上側凹状係合部および下側凹状係合部と、中間受部と、によりフェンスを支柱に対して強固に係合することができる。
【０００９】
また、先に支柱を立てた状態でフェンスを組み付ける場合には、フェンスを前後方向に傾け、立設した支柱の上部がフェンスの中間受部と下側凹状係合部との間に位置するよう位置決めして保持する。次に、傾けていたフェンスを垂直に立てる。その際、フェンスの上側凹状係合部が支柱の上端の上方を通過するようにしてフェンスを垂直に立てる。垂直に立てられたフェンスは、下側凹状係合部が支柱の正面側外面に、中間受部が支柱の裏面側外面に夫々接触した状態となっている。次に、フェンスの上側凹状係合部が支柱の先端よりも上方となるように、フェンスを下方にスライドさせる。これにより、支柱の正面側外面の半周分が、上側凹状係合部および下側凹状係合部に支承され、支柱の裏面側外面が中間受部によって支承された状態となる。
【００１０】
このように、従来のように、リング状となった係合部に支柱の先端部を通過させる必要がないので、立設された支柱の上方にまでフェンスを持ち上げることなく、組み付け作業を容易に行なうことができる。
【図面の簡単な説明】
【００１１】
【図１】本発明の第１実施形態による組立式フェンスの正面図である。
【図２】フェンスの支柱への係合状態しめす斜視図である。
【図３】図１におけるIII-III断面図である。
【図４】裏面側から見た支柱の頭部と上側凹状係合部の断面とを示す拡大図である。
【図５】側面側から見た支柱の先端部の一部、支柱の上部の一部、頭部および係止部を断面で示す拡大図である。
【図６】図１におけるVI-VI断面図である。
【図７】図１におけるVII-VII断面図である。
【図８】フェンスが立設されている状態で、支柱を組み付ける手順を示す説明概要図である。
【図９】支柱が立設されている状態で、フェンスを組み付ける前半の手順を示す説明図である。
【図１０】支柱が立設されている状態で、フェンスを組み付ける後半の手順を示す説明図である。
【図１１】組立式フェンスのコーナーでの係合状態を上方からの断面で示す図である。
【図１２】本発明の第二実施形態による組立式フェンスの正面図である。
【図１３】図１２におけるXIII-XIII断面図である。
【図１４】図１２におけるXIV-XIV断面図である。
【図１５】図１２におけるXV-XV断面図である。
【図１６】図１２におけるXVI-XVI断面図である。
【図１７】第二実施形態におけるコーナーでの係合状態を断面で示す拡大図である。
【図１８】第二実施形態におけるコーナーの下部を断面で示す拡大図である。
【図１９】従来例のフェンスの正面図である。
【図２０】図１９におけるXX-XX断面図である。
【発明を実施するための形態】
【００１２】
＜第一実施形態＞
以下、図１〜図１１に基づき、本発明の組立式フェンスの第一実施形態について説明する。図１に示すように、本実施形態による組立式フェンス１は、主に、配置面ＧＤ（地面）に下端部が差し込まれて立設される一方の支柱３（図１において右側に配置された支柱）および他方の支柱４（図１において左側に配置された支柱）と、一方の支柱３および他方の支柱４の間に設けられたフェンス５と、フェンス５に一方の支柱３側で隣接する一方の隣接フェンス６Ｒと、フェンス５に他方の支柱４側で隣接する他方の隣接フェンス６Ｌとから構成される。
【００１３】
一方の支柱３および他方の支柱４は、図２および図３に示すように、例えば、アルミニウム合金製鋳物の中実軸で断面円形の棒状に形成されている。一方および他方の支柱３，４は、フェンス５を支持する左右の端部を説明上区別するために呼称を付与したものであり、支柱としては同様であるので、一方の支柱３で代表して以下に支柱を説明する。
一方の支柱３は、断面円形で棒状の支柱本体３ａと、厚い円盤状に形成された頭部３ｂと、頭部３ｂのすぐ下方に設けられ支柱本体３ａの軸心方向に直角に突出する係止部３ｃと、下端部に設けられた差込部３ｄと、一方の支柱３の下部に差込部３ｄと平行に設けられた第二の差込部３ｅと、を有して構成される。
【００１４】
頭部３ｂは、例えば、アルミニウム合金製鋳物であり、図４および図５に示すように、支柱本体３ａの外径よりも大きな外径の円盤状に形成されている。円盤状の頭部３ｂの側面は、下方から上方に向かって外径が徐々に拡張する下部テーパ部３ｂｄと、下部テーパ部３ｂｄに連続し下方から上方に向かって外径が徐々に縮小する上部テーパ部３ｂｕとから成っている。頭部３ｂの下面には、開口穴３ｂ１が形成され、開口穴３ｂ１に支柱本体３ａの先端部が外嵌するようになっている。頭部３ｂの上面の中心には、開口穴３ｂ１に向かってボルト３ｂ２の軸が遊嵌される係合穴（図示せず）が貫設されている。支柱本体３ａの上端面の中心には、ボルト３ｂ２の雄ねじ部と螺合する雌ねじ孔３ａ１が設けられている。頭部３ｂは、ボルト３ｂ２を係合穴に貫通させ、ボルト３ｂ２の雄ねじ部を支柱本体３ａの雌ねじ孔３ａ１に螺入することで支柱本体３ａに締結される。このように、頭部３ｂは、支柱本体３ａの先端部にボルト３ｂ２により着脱可能に組み付けられる。
なお、頭部３ｂの支柱本体３ａへの組み付けは、ボルト３ｂ２によらず、頭部の開口穴の内周壁に雌ねじを設け、支柱本体の先端部外周に前記雌ねじと螺合する雄ねじを設け、頭部を支柱本体の先端部にねじ込むことで、組み付けてもよい。
【００１５】
支柱本体３ａの上部の外面には、図５に示すように、係止部３ｃが設けられている。係止部３ｃは、垂直方向の断面における直角三角形の直角を挟む辺の一辺を、支柱本体３ａの軸心と直角な方向に沿って突出させ、突出した角部の一部を垂直に削り落とした形状に構成される。また、直角三角形の直角を挟む辺の他の一辺を構成する面は、長手方向に沿って支柱本体３ａの外周に倣う凹溝（図略）が形成されている。係止部３ｃの斜辺部分には、係止部３ｃを垂直に保持した際に水平方向に沿う係合穴３ｃ１が貫設されている。係合穴３ｃ１は、取付ボルト３ｃ２の軸が遊嵌する内径寸法に形成されている。支柱本体３ａの外周面には、軸線方向に直角な方向に沿う雌ねじ孔３ａ２が穿設され、雌ねじ孔３ａ２には取付ボルト３ｃ２の雄ねじ部が螺合する。係止部３ｃは、取付ボルト３ｃ２によって支柱本体３ａに着脱可能に組付けられる。図５に示すように、係止部３ｃの取付位置は、頭部３ｂの下端から、後述する第一上側凹状係合部７ａおよび第二上側凹状係合部８ａを上下に重ねた長さより長い距離をあけて設けられている。
この係止部３ｃによって、後述する第一上側凹状係合部７ａの下端を係止するようになっている。
【００１６】
支柱本体３ａの下端には、図３に示すように、下方に向かって先端部が円錐状に尖った差込部３ｄが設けられ、差込部３ｄを配置面ＧＤ（地面）に差し込むことで、一方の支柱３を配置面ＧＤに支持できるよう構成されている。
第二の差込部３ｅは、図２および図３に示すように、一方の支柱３の下部途中部分より軸心方向に直角に突出する腕部３ｅ１と、腕部３ｅ１の先端から直角に屈曲して差込部３ｄと平行に下方に突出する先尖部３ｅ２と、を有する。先尖部３ｅ２の先端は、尖った円錐の頂点となっている。第二の差込部３ｅは、例えば、アルミニウム合金製鋳物で、支柱本体３ａと一体に形成されている。
他方の支柱４は、フェンス５の幅に応じて一方の支柱３と離間させた位置に配置されて立設される。
【００１７】
フェンス５、一方の隣接フェンス６Ｒおよび他方の隣接フェンス６Ｌは、図１に示すように、上下の桟と左右の框部が一体に形成された方形状の枠部５１と、上下の桟の間に上下方向に沿って設けられる複数本の格子部５２とを有している。フェンス５と隣接フェンス６Ｒ，６Ｒとは、構成が同様であるので、フェンス５により代表して説明する。また、枠部５１と格子部５２とは、アルミニウム合金製鋳物で一体に形成されている。ここで、フェンス５の面とは、方形の平面状に形成されたフェンス５において、最も広い面積を構成する面をさすものであり、図６において、下側に向いている面を正面５ｆ、上側に向いている面を裏面５ｒとする（以下、本明細書において同様である）。
【００１８】
なお、フェンス５は、アルミニウム合金製鋳物に限定されず、例えば、アルミニウム型材を組み合わせ、組み合わせた型材をネジ等で固定することで、枠部と格子部とを形成するものでもよい。また、フェンス５の構成材料は、アルミニウム合金に限定されず、例えば、鉄鋼材を溶接することによって枠部および格子部を形成してもよい。
フェンス５、一方の隣接フェンス６Ｒおよび他方の隣接フェンス６Ｌは、図１において、向かって右側の框部が一方の側部５１Ｒに相当し、向かって左側の框部が他方の側部５１Ｌに相当する（以下、本明細書において同様である）。
【００１９】
一方の側部５１Ｒ（図１において右側の框部）の上部には、上端より少し下がった位置に、第一上側凹状係合部７ａ（上側凹状係合部に相当）が設けられている。第一上側凹状係合部７ａは、図２、図３および図５に示すように、フェンス５の正面５ｆ側において一方の支柱３の正面側外面３ａｆの半周分を支承する円弧面７ａ１が設けられた帯状に形成されている。第一上側凹状係合部７ａは、この円弧面７ａ１により一方の支柱３の正面側外面３ａｆの上部を支承するようになっている。第一上側凹状係合部７ａの下端部は係止部３ｃに係止される。
【００２０】
フェンス５の一方の側部５１Ｒの下端部には、第一下側凹状係合部７ｂ（下側凹状係合部に相当）が設けられている。第一下側凹状係合部７ｂは、図２、図３および図６に示すように、第一上側凹状係合部７ａと同様に、フェンス５の正面５ｆ側において一方の支柱３の正面側外面３ａｆの半周分を支承する円弧面７ｂ１が設けられた帯状に形成されている。第一下側凹状係合部７ｂは、この円弧面７ｂ１により一方の支柱３の正面側外面３ａｆの下部を支承するようになっている。
【００２１】
フェンス５の一方の側部５１Ｒの第一上側凹状係合部７ａと第一下側凹状係合部７ｂとの間には、第一中間受部７ｃ（中間受部に相当）が設けられている。第一中間受部７ｃは、図２、図３および図７に示すように、フェンス５の正面５ｆと反対側（裏面５ｒ側）の一方の支柱３の裏面側外面３ａｒを四分の１周する円弧面７ｃ１が設けられた帯状に形成されている。第一中間受部７ｃは、この円弧面７ｃ１により一方の支柱３の裏面側外面３ａｒ（特に第一上側凹状係合部７ａの円弧面７ａ１および第一下側凹状係合部７ｂの円弧面７ｂ１に対応する裏面側外面３ａｒ）を支承するようになっている。
【００２２】
このように、第一中間受部７ｃによって、一方の支柱３は、上部において第一上側凹状係合部７ａの円弧面７ａ１に押し付けられ、一方の支柱３は、下部において第一下側凹状係合部７ｂの円弧面７ｂ１に押し付けられて保持される。そのため、フェンス５の正面・裏面方向へ働く外力は、円弧面７ａ１、円弧面７ｂ１と第一中間受部７ｃとが、一方の支柱３を正面・裏面方向に挟持する力によって規制される。フェンス５の側面方向（フェンス５の面に沿った方向）へ働く外力が働いた場合でも、第一中間受部７ｃによって、一方の支柱３が円弧面７ａ１，７ｂ１から外れるのを防止する。これによって、円弧面７ａ１，７ｂ１の円周方向の先端縁部および基端縁部は、一方の支柱３の側面（正面と裏面との境界に存在する面）を支持する。結果として、第一上側凹状係合部７ａ、第一下側凹状係合部７ｂおよび第一中間受部７ｃは、フェンス５の側面方向へ働く外力を規制する。
【００２３】
このように、第一実施形態における組立式フェンスは、従来のように、係合部が支柱に外嵌するリング状でなくても、フェンス５を一方の支柱３にしっかりと支持することができる。このように、係合部（第一上側凹状係合部７ａ、第一下側凹状係合部７ｂ、第一中間受部７ｃ）をリング状としないことから、例えば、係合部を含めたフェンスをアルミニウム合金製鋳物で一体に鋳造する場合において、係合部の部分に「中子」が不要となり、製造コストを大きく低減することができる。
【００２４】
円弧面７ａ１，７ｂ１の曲率半径は、支柱本体３ａの外周の半径より少し大きく、頭部３ｂの外周の半径より小さく設定されている。なお、上側および下側凹状係合部の凹状部が多角形の面で構成され、頭部の外周が多角形の面で構成される場合には、凹状部に内接する内接円の半径よりも、頭部の外周に外接する外接円の半径が大きく設定される。
【００２５】
フェンス５の他方の側部５１Ｌ（図１において左側の框部）の上端部には、図１に示すように、第二上側凹状係合部８ａ（上側凹状係合部に相当）が設けられている。第二上側凹状係合部８ａは、第一上側凹状係合部７ａよりも高い高さ位置に設けられている。このフェンス５の他方の側部５１Ｌに設けられた第二上側凹状係合部８ａは、フェンス５の右側（一方の支柱３側）で隣接する一方の隣接フェンス６Ｒの第二上側凹状係合部８ａと同様の高さ位置に設けられている。このようにして、一方の隣接フェンス６Ｒの第二上側凹状係合部８ａとフェンス５の第一上側凹状係合部７ａとが干渉しないよう高さが位置決めされている。フェンス５の第二上側凹状係合部８ａは、第二下側凹状係合部８ｂと形状が同様であるため、代用して示す図６のように、フェンス５の正面５ｆ側において他方の支柱４の正面側外面４ａｆを半周する円弧面８ａ１が設けられた帯状に形成されている。第二上側凹状係合部８ａは、この円弧面８ａ１により他方の支柱４の正面側外面４ａｆの上部を支承するようになっている。
【００２６】
フェンス５の他方の側部５１Ｌの下部には、図１に示すように、第二下側凹状係合部８ｂ（下側凹状係合部に相当）が設けられている。第二下側凹状係合部８ｂは、第一下側凹状係合部７ｂよりも高い高さ位置に設けられている。このフェンス５の他方の側部５１Ｌに設けられた第二下側凹状係合部８ｂは、フェンス５の右側（一方の支柱３側）で隣接する一方の隣接フェンス６Ｒの第二下側凹状係合部８ｂと同様の高さ位置に設けられている。このようにして、一方の隣接フェンス６Ｒの第二下側凹状係合部８ｂとフェンス５の第一下側凹状係合部７ｂとが干渉しないよう高さが位置決めされている。フェンス５の第二下側凹状係合部８ｂは、図６に示すように、フェンス５の正面５ｆ側において他方の支柱４の正面側外面４ａｆを半周する円弧面８ｂ１が設けられた帯状に形成されている。第二下側凹状係合部８ｂは、この円弧面８ｂ１により他方の支柱４の正面側外面４ａｆの下部を支承するようになっている。
【００２７】
フェンス５の他方の側部５１Ｌの第二上側凹状係合部８ａと第二下側凹状係合部８ｂとの間には、第二中間受部８ｃ（中間受部に相当）が設けられている。
第二中間受部８ｃは、第一中間受部７ｃよりも高い高さ位置に設けられている。このフェンス５の他方の側部５１Ｌに設けられた第二中間受部８ｃは、フェンス５の右側（一方の支柱３側）で隣接する一方の隣接フェンス６Ｒの第二中間受部８ｃと同様の高さ位置に設けられている。このようにして、一方の隣接フェンス６Ｒの第二中間受部８ｃとフェンス５の第一中間受部７ｃとが干渉しないよう高さが位置決めされている。第二中間受部８ｃは、図７に示すように、フェンス５の正面５ｆと反対側の他方の支柱４の裏面側外面４ａｒを四分の１周する円弧面８ｃ１が設けられた帯状に形成されている。第二中間受部８ｃは、この円弧面８ｃ１により他方の支柱４の裏面側外面４ａｒ（特に第二上側および第二下側凹状係合部８ａ，８ｂの円弧面８ａ１，８ｂ１に対応する裏面側外面４ａｒ）を支承するようになっている。
【００２８】
第二中間受部８ｃによって、他方の支柱４は、上部において第二上側凹状係合部８ａの円弧面８ａ１に押し付けられ、他方の支柱４は、下部において第二下側凹状係合部８ｂの円弧面８ｂ１に押し付けられ、保持される。この他方の側部５１Ｌにおける第二上側凹状係合部８ａ、第二下側凹状係合部８ｂおよび第二中間受部８ｃの他方の支柱４への係合は、前述の一方の側部５１Ｒにおける一方の支柱３への係合と同様なので、説明を省略する。
枠部５１の上下の桟の間には、外形が丸い棒材からなる格子部５２が、等間隔で上下に五本配設されている。
【００２９】
図１に示すように、フェンス５に左側（他方の支柱４側）に隣接する他方の隣接フェンス６Ｌの第一上側凹状係合部７ａ、第一下側凹状係合部７ｂおよび第一中間受部７ｃより少し上方に、このフェンス５の他方の側部５１Ｌに設けられた第二上側凹状係合部８ａと第二下側凹状係合部８ｂおよび第二中間受部８ｃが、夫々配設される。
そして、図１および図２に示すように、他方の支柱４の係止部４ｃに他方の隣接フェンス６Ｌの一方の側部５１Ｒに設けられた第一上側凹状係合部７ａの下端が係止され、さらに、係止された第一上側凹状係合部７ａの上端には、このフェンス５の他方の側部５１Ｌに設けられた第二上側凹状係合部８ａの下端が係止される。
【００３０】
また、一方の支柱３の係止部３ｃには、図１および図３に示すように、このフェンス５の第一上側凹状係合部７ａが係止される。第一上側凹状係合部７ａの上下方向の厚みは、第二上側凹状係合部８ａと第一上側凹状係合部７ａとにおける下端高さ位置の差と同一に設定されている。これによって、フェンス５が、一方の支柱３および他方の支柱４の間で、水平に支持されるようになっている。
【００３１】
（組み立て方法）
次に、フェンス５と隣接フェンス６Ｒとを垂直の平面に沿って並設させる一般的な組立式フェンス１の組み立て方法を以下に説明する。
Ａ．先にフェンス５を仮に立てた状態で支柱３を組み付ける場合について、図８を参照して説明する。
まず、フェンス５および一方の隣接フェンス６Ｒを、垂直の一平面に沿って仮に並設する。この場合、一方の隣接フェンス６Ｒの第二上側凹状係合部８ａは、フェンス５の第一上側凹状係合部７ａに下端部が係止された状態である。そして、これらの第一上側凹状係合部７ａおよび第二上側凹状係合部８ａは、上下に重なった状態となっている。フェンス５の第一中間受部７ｃは、一方の隣接フェンス６Ｒの第二中間受部８ｃより少し下方に位置し、フェンス５の第一下側凹状係合部７ｂは隣接フェンス６Ｌの第二下側凹状係合部８ｂの少し下方に位置している。そして、支柱３の係止部３ｃは、取り外しておく。
（１）まず、組立作業者は、一方の支柱３を持ち上げ、支柱３の頭部３ｂをフェンス５の裏面５ｒ側へ傾け、一方の支柱３の下部を、第一上側凹状係合部７ａと第二中間受部８ｃとの間に挿入する（図８（１））。
（２）次に、第二の差込部３ｅを第二下側凹状係合部８ｂと第一中間受部７ｃとの間に通すとともに（図８（２））、差込部３ｄを第二下側凹状係合部８ｂの上を通過させるように一方の支柱３を垂直に立てる（図８（３））。このとき、第一上側凹状係合部７ａおよび第二上側凹状係合部８ａは、一方の支柱３の正面側外面３ａｆに、第一中間受部７ｃおよび第二中間受部８ｃが一方の支柱３の裏面側外面３ａｒに夫々接触した状態となっている。
（３）次に、一方の支柱３の下端が第一中間受部７ｃと第二下側凹状係合部８ｂとの間を通過させるように、一方の支柱３を下方へスライドさせる。組立作業者は、最後に係止部３ｃを取付ボルト３ｃ２で固定し、係止部３ｃでフェンス５の第一上側凹状係合部７ａを係止する。
【００３２】
これによって、一方の支柱３は、正面側外面３ａｆが、第一上側凹状係合部７ａ、第二上側凹状係合部８ａ、第一下側凹状係合部７ｂおよび第二下側凹状係合部８ｂに支承され、一方の支柱３は、裏面側外面３ａｒが、第一中間受部７ｃおよび第二中間受部８ｃに支承される。その結果、フェンス５の一方の側部５１Ｌおよび一方の隣接フェンス６Ｒの他方の側部５１Ｒと、一方の支柱３とは、一方の支柱３が正面側外面３ａｆと裏面側外面３ａｒから挟持された状態で強固に係合する。
フェンス５と他方の支柱４との係合についても同様である。
【００３３】
Ｂ．先に支柱３を立てた状態でフェンス５および一方の隣接フェンス６Ｒを組み付ける場合について、図９および図１０を参照して説明する。
一方の支柱３には、フェンス５が係合された状態で支持されている。また、頭部３ｂは、一方の支柱３から取り外した状態となっている。
【００３４】
（１）まず、組立作業者は、一方の隣接フェンス６Ｒの上部を一方の隣接フェンス６Ｒの裏面側に傾け、一方の隣接フェンス６Ｒの第二下側凹状係合部８ｂが、フェンス５の第一下側凹状係合部７ｂと第一中間受部７ｃとの間の支柱３の正面側外面３ａｆに来るように位置決めする（図９）。
（２）次に、一方の隣接フェンス６Ｒの第二上側凹状係合部８ａが一方の支柱３の上端の上を通過するようにしながら、一方の隣接フェンス６Ｒを垂直に立てる（図１０）。このとき、一方の隣接フェンス６Ｒの第二下側凹状係合部８ｂが一方の支柱３の正面側外面３ａｆに、第二中間受部８ｃが一方の支柱３の裏面側外面３ａｒに夫々接触した状態となる。
（３）次に、一方の隣接フェンス６Ｒを下方にスライドさせ、一方の隣接フェンス６Ｒの第二上側凹状係合部８ａの下端部をフェンス５の第一上側凹状係合部７ａの上端に係止させる。最後に、組立作業者は、頭部３ｂをボルト３ｂ２で組み付ける。
これによって、一方の支柱３は、正面側外面３ａｆが、第一上側凹状係合部７ａ、第二上側凹状係合部８ａ、第一下側凹状係合部７ｂおよび第二下側凹状係合部８ｂに支承され、裏面側外面３ａｒが、第一中間受部７ｃおよび第二中間受部８ｃに支承される。その結果、フェンス５の一方の側部５１Ｌおよび一方の隣接フェンス６Ｒの他方の側部５１Ｒと、一方の支柱３とは、一方の支柱３が正面側外面３ａｆと裏面側外面３ａｒから挟持された状態で強固に係合する。
【００３５】
このように、組立作業者は、仮に立てられた一方の隣接フェンス６Ｒの第二上側凹状係合部８ａの上方にまで、一方の支柱３を持ち上げることなく、組み付け作業を行なうことができる。また、組立作業者は、立設された一方の支柱３の上方にまで、一方の隣接フェンス６Ｒを持ち上げることなく組み付け作業を行なうことができる。そのため、フェンス５および一方の隣接フェンス６Ｒと一方の支柱３との組み付けを容易に行なうことができる。
【００３６】
第一実施形態の組立式フェンスのコーナーの構造については、図１１に示すように、フェンス５の正面５ｆおよび一方の隣接フェンス６Ｒの正面６ｆを、コーナーの大きな角度を形成する側に位置させて配置する。コーナーの支柱９については、第二の差込部が設けられていないタイプのものを使用する点において、フェンス５および隣接フェンス６Ｒを平面的に並列させて支柱３に組み付ける場合と相違する。その他の構成は同様であるので説明を省略する。
コーナーを組立てる場合、まず、組立作業者は、フェンス５および隣接フェンス６Ｒを夫々の側部が直角に突き合せた状態で保持する。次に、支柱９の下端部を、第一・第二上側凹状係合部７ａ，８ａ、第一・第二中間受部７ｃ、８ｃ、第一・第二下側凹状係合部７ｂ、８ｂが夫々形成する穴に順に通過させ、差込部を配置面ＧＤに差し込むことで支柱９とフェンス５および隣接フェンス６Ｒとを組み付ける。なお、この場合、係止部（図略）は、差込み時には取り外しておき、支柱９の係止部の取付位置を上側凹状係合部が通過した後に取り付ける。
【００３７】
上述した記載で明らかなように、第一実施形態の組立式フェンス１は、配置面ＧＤに立設される支柱３と、一方の面を正面５ｆとして方形状に形成され支柱３に一方の側部５１Ｒを支持されるフェンス５と、フェンス５の一方の側部５１Ｒの上部で支柱３側に突出して設けられフェンス５の正面５ｆと同じ側の支柱３の正面側外面３ａｆの半周分を支承する第一上側凹状係合部７ａと、フェンス５の一方の側部５１Ｒの下部で支柱３側に突出して設けられ支柱３の正面側外面３ａｆの半周分を支承する第一下側凹状係合部７ｂと、第一上側凹状係合部７ａと第一下側凹状係合部７ｂとの間の一方の側部５１Ｒで支柱３側に突出して設けられ、フェンス５の正面５ｆ側と反対のフェンス５の裏面５ｒ側と同じ側の支柱３の裏面側外面３ａｒを支承する第一中間受部７ｃと、を備える。
【００３８】
これによると、第一上側凹状係合部７ａおよび第一下側凹状係合部７ｂは、支柱３の正面側外面３ａｆを支承し、第一中間受部７ｃは支柱３の裏面側外面３ａｒを支承する。そのため、支柱３は、上部下部の正面側外面３ａｆの半周分が、第一上側凹状係合部７ａおよび第一下側凹状係合部７ｂに第一中間受部７ｃにより押し付けられた状態で保持される。これによって、フェンス５の正面５ｆおよび裏面５ｒ方向の傾きは、支柱３の正面側の上部および下部が、第一中間受部７ｃにより第一上側凹状係合部７ａおよび第一下側凹状係合部７ｂに押し付けられることで規制される。
【００３９】
また、支柱３は、上部下部の正面側外面３ａｆの半周分が、第一上側凹状係合部７ａおよび第一下側凹状係合部７ｂに第一中間受部７ｃにより押し付けられた状態で、外れないように保持される。そして、支柱３の側面（正面と裏面との境界に存在する面）に対向する第一上側凹状係合部７ａおよび第一下側凹状係合部７ｂの周方向の先端縁部または基端縁部は、支柱３の側面外面を夫々支持する。これによって、フェンス５の正面５ｆ（裏面５ｒ）に沿った方向のフェンス５の傾きが規制される。したがって、支柱３にフェンス５を係合する係合部がリング状でなくとも、第一上側凹状係合部７ａおよび第一下側凹状係合部７ｂと、第一中間受部７ｃと、によりフェンス５を支柱３に対して強固に係合することができる。
【００４０】
また、先に支柱３を立てた状態でフェンス５を組み付ける場合には、フェンス５を前後方向に傾け、立設した支柱３の上部がフェンス５の第一中間受部７ｃと第一下側凹状係合部７ｂとの間に位置するよう位置決めして保持する。次に、傾けていたフェンス５を垂直に立てる。その際、フェンス５の第一上側凹状係合部７ａが支柱３の上端の上方を通過するようにしてフェンス５を垂直に立てる。垂直に立てられたフェンス５は、第一下側凹状係合部７ｂが支柱３の正面側外面３ａｆに、第一中間受部７ｃが支柱３の裏面側外面３ａｒに夫々接触した状態となっている。
次に、フェンス５の第一上側凹状係合部７ａが支柱３の先端よりも上方となるように、フェンス５を下方にスライドさせる。これにより、支柱３の正面側外面３ａｆの半周分が、第一上側凹状係合部７ａおよび第一下側凹状係合部７ｂに支承され、支柱３の裏面側外面３ａｒが第一中間受部７ｃによって支承された状態となる。
このように、従来のように、リング状となった係合部に支柱の先端部を通過させる必要がないので、立設された支柱３の上方にまでフェンス５を持ち上げることなく、組み付け作業を容易に行なうことができる。
【００４１】
また、フェンス５は、一方の支柱３および他方の支柱４の間に設けられ、一方の支柱３には、フェンス５とフェンス５に隣接する一方の隣接フェンス６Ｒとが支持され、第一上側凹状係合部７ａ、第二上側凹状係合部８ａ、第一下側凹状係合部７ｂ、第二下側凹状係合部８ｂ、第一中間受部７ｃおよび第二中間受部８ｃは、フェンス５および一方の隣接フェンス６Ｒの両側の一方の側部５１Ｒおよび他方の側部５１Ｌに夫々設けられ、一方の支柱３にフェンス５と一方の隣接フェンス６Ｒとが支持されたとき、フェンス５の一方の側部５１Ｒに設けられた第一上側凹状係合部７ａ、第一下側凹状係合部７ｂおよび第一中間受部７ｃと、隣接フェンス６Ｒの他方の側部５１Ｌに設けられた第二上側凹状係合部８ａ、第二下側凹状係合部８ｂおよび第二中間受部８ｃとは、干渉しないように上下にずれた高さ位置に夫々設けられる。
【００４２】
これによると、一方の支柱３にフェンス５と一方の隣接フェンス６Ｒとが支持されたとき、フェンス５の一方の側部５１Ｒに設けられた第一上側凹状係合部７ａ、第一下側凹状係合部７ｂおよび第一中間受部７ｃと、一方の隣接フェンス６Ｒの他方の側部５１Ｌに設けられた第二上側凹状係合部８ａ、第二下側凹状係合部８ｂおよび第二中間受部８ｃとは、互いに干渉することなく一方の支柱３に係合することができる。
【００４３】
また、各前記支柱３，４の外面には、支柱３，４の軸線方向に対して直角な方向に沿って突出する係止部３ｃ、４ｃを備え、一方の支柱３における係止部３ｃは、一方の支柱３に支持されたフェンス５の一方の側部５１Ｒに設けられた第一上側凹状係合部７ａ、第一下側凹状係合部７ｂおよび第一中間受部７ｃのうちのいずれかの下端部を支持し、他方の支柱４における係止部４ｃは、フェンス５に他方の支柱４側で隣接する他方の隣接フェンス６Ｌの一方の側部５１Ｒに設けられた第一上側凹状係合部７ａ、第一下側凹状係合部７ｂおよび第一中間受部７ｃのいずれかの下端部を支持し、他方の支柱４に支持された他方の隣接フェンス６Ｌの一方の側部５１Ｒに設けられた第一上側凹状係合部７ａ、第一下側凹状係合部７ｂおよび第一中間受部７ｃのいずれかは、フェンス５の他方の側部５１Ｌに設けられた第二上側凹状係合部８ａ、第二下側凹状係合部８ｂおよび第二中間受部８ｃのうちのいずれかの下端部を支持する。
【００４４】
これによると、二本の支柱である一方の支柱３および他方の支柱４の外面に設けられた係止部３ｃ，４ｃによって、二本の支柱３，４の間に設けられたフェンス５の両側の側部５１Ｌ，５１Ｒの第一上側凹状係合部７ａ、第二上側凹状係合部８ａ、第一下側凹状係合部７ｂ、第二下側凹状係合部８ｂ、第一中間受部７ｃおよび第二中間受部８ｃは、直接的に或いは間接的に支持される。そのため、フェンス５の下端を配置面ＧＤに接触させることなく、フェンス５を二本の支柱３，４の間で支持することができる。
【００４５】
また、各支柱３，４の先端には、水平面上において、第一上側凹状係合部７ａおよび第二上側凹状係合部８ａの凹状内壁が形成する内接円の曲率半径よりも大きな半径となる外接円を外周に有する頭部３ｂが、支柱３，４の先端に対して夫々着脱可能に設けられている。
これによると、支柱３，４の先端に、第一上側凹状係合部７ａおよび第二上側凹状係合部８ａの凹状内壁が形成する曲率半径よりも大きな半径の外接円を外周に有する頭部３ｂを設けることで、支柱３，４に組み付けられたフェンス５が、支柱３，４から抜脱するのを防止することができる。
また、頭部３ｂは、支柱３，４の先端から着脱可能なので、先に支柱３，４を立てた状態でフェンス５を組み付ける場合には、支柱３，４の先端から頭部３ｂを取り外した状態でフェンス５を組み付け、支柱３，４にフェンス５を組み付けた後に頭部３ｂを支柱３，４に取り付けることができる。
【００４６】
また、支柱３，４の下部には、配置面ＧＤに差し込み可能な差込部３ｄが設けられている。
これによると、支柱３，４の下部に設けられた差込部３ｄを配置面ＧＤに差し込むことで、フェンス５を支持する支柱３，４を簡単に立設することができる。
【００４７】
支柱３，４の下部には、差込部３ｄに対して平行な方向に沿って延在する第二の差込部３ｅが並設されている。
これによると、第二の差込部３ｅは、差込部３ｄを中心に支柱３，４が回転する力を規制する。フェンス５を正面５ｆおよび裏面５ｒ方向に傾ける外力に対して、強い抵抗力を発生させて、フェンス５が傾動するのを防止することができる。
【００４８】
なお、第一実施形態において、支柱３の外面の上部には、係止部３ｃが設けられ、第一上側凹状係合部７ａを係止するものとしたが、これに限定されず、例えば、支柱の外面の下部に設け、第一下側凹状係合部７ｂを係止してもよい。
また、係止部３ｃは、取付ボルト３ｃ２によって支柱３に着脱可能に取り付けられるものとしたが、これに限定されず、例えば、支柱と一体に形成されるものでもよい。支柱と一体とした場合は、先にフェンス５および一方の隣接フェンス６Ｒを並べて立てて保持して、後から一方の支柱３を組み付ける際には、一体となった係止部を第一上側凹状係合部７ａの円弧面７ａ１および第二上側凹状係合部８ａの円弧面８ａ１の内側を上方から下方に通過させる必要がある。この場合においても、係合部がリング状でないことから、弾性変形の範囲で支柱の上部と、或いは第一上側凹状係合部７ａ、第二上側凹状係合部８ａとを、互いに離間する方向に撓ませるとともに、円弧面７ａ１、８ａ１に対して、係止部を係止部の斜辺に沿って滑らせることで通過させることができる。
【００４９】
また、支柱３の先端に設ける頭部３ｂは、ボルト３ｂ２により着脱可能に取り付けるものとしたが、これに限定されず、例えば、支柱と一体に形成されるものでもよい。支柱と一体に形成された場合、支柱とフェンスとの組立方法のうち立設された状態のフェンスに支柱を組み付ける組立方法が選択できる。
また、係止部３ｃに係止されたフェンス５の第一上側凹状係合部７ａに、隣接フェンス６Ｒの第二上側凹状係合部８ａの下端部が係止されるものとしたが、これに限定されず、例えば、フェンスの第一下側凹状係合部に、隣接フェンスの第二下側凹状係合部が係止されるものでもよい。
また、第一中間受部７ｃおよび第二中間受部８ｃを、一方の支柱３の裏面側外面３ａｒを四分の一周する円弧面７ｃ１，８ｃ１が設けられた帯状のものとしたが、これに限定されず、例えば、現在のフェンス５に設けられた第一中間受部７ｃおよび第二中間受部８ｃの高さ位置において、一方の支柱３の裏面側外面３ａｒの周方向の中央部を、所定範囲の点或いは線で支持するものでもよい。
【００５０】
＜第二実施形態＞
次に、本発明の組立式フェンスの第二実施形態について、図１２〜図１８に基づいて説明する。
第二実施形態における組立式フェンス２１において、配置面ＧＤには所定間隔を設けて二つの台座２２が配置され、台座２２には夫々一方の支柱２３、他方の支柱２４が立設される。また、第二実施形態におけるフェンス２５の下端隅部２５ａは、隣接する台座２２との間で所定隙間ｔ１を介して配置される形状で形成されている。フェンス２５の下端２５ｂは、台座２２が配置された配置面ＧＤとの間に所定の下端隙間ｔ２を設けて配置される形状に形成されている。フェンス２５の第一下側凹状係合部７ｂの下端面は、台座２２の上端に設けられた下端受部２２ｄに係止されている。これらの点において第一実施形態と相違する。
【００５１】
以下、第二実施形態の組立式フェンス２１における第一実施形態の組立式フェンス１との相違点について詳述する。
台座２２は、例えば鉄鋳物やセメント等により形成された所定重量（例えば、５〜１０ｋｇ）を有するものである。台座２２は、図１２、図１３および図１６に示すように、円の一部を直線で切断した一部円状で配置面ＧＤ（地面）に接する底面２２ａと、任意な水平面２２ａｐにおいて、底面２２ａから上方に向かうにつれて、底面２２ａの円部２２ａａの半径２２ａｒが徐々に小さくなる円弧が連続して形成する側方曲面２２ｂと、円を切断した直線と平行に上方に向かって連続し、側方曲面２２ｂの円弧の中心ＳＣとの距離が上方に向かって等しい側方平面２２ｃと、を備えている。なお、側方平面２２ｃと側方曲面２２ｂの円弧の中心ＳＣとの距離は、上方に向かうにつれて少なくなってもよい。台座２２の上面には一方の支柱２３の下端部が嵌入される支持穴２２ｈが設けられている。
【００５２】
支持穴２２ｈは、円形状に形成され、側方曲面２２ｂの底面２２ａに平行な面における円弧の中心ＳＣに同軸に垂直に設けられる。また、側方平面２２ｃと支持穴２２ｈとは、側方平面２２ｃと支持穴２２ｈとの間に強度的に充分な厚みを有するよう形成されている。支持穴２２ｈの上端周縁部は、所定長さで上方に突出する下端受部２２ｄが設けられ、第二下側凹状係合部８ｂの下端を受けて、台座２２に対するフェンス２５の下方移動を規制するようになっている。
【００５３】
一方の支柱２３は、図１３に示すように、例えばアルミニウム合金製の中実軸で、支持穴２２ｈに嵌入される脚部２３ａと、脚部２３ａより上方へ突出する軸部２３ｂと、を有して構成される。一方の支柱２３と他方の支柱２４とは、第二実施形態を説明するために、フェンス２５の両側に配置される支柱を区別するための呼称であり、構成において同様のものである。そのため、一方の支柱２３で代表して支柱の構成を説明する。
【００５４】
一方の支柱２３の脚部２３ａは、図１６に示すように、支持穴２２ｈに嵌入可能な断面円形状に形成されている。支持穴２２ｈおよび脚部２３ａは、夫々円形状に形成されて相互に嵌合している。脚部２３ａの外周壁と支持穴２２ｈの内周壁との間は、台座２２に対して一方の支柱２３がぐらつかない程度の隙間が設定されている。なお、脚部２３ａの外周壁と支持穴２２ｈの内周壁との間に、接着剤、セメント等を充填することで、上述のぐらつきを防止してもよい。また、ゴム材や樹脂材からなるキャップ部材（図略）を脚部２３ａに予め被せておいて、脚部２３ａを支持穴２２ｈに嵌入したり、支持穴２２ｈにキャップ部材と同様なものを予め挿入しておき、脚部２３ａを支持穴２２ｈに嵌入したりしてもよい。
【００５５】
フェンス２５は、図１２に示すように、例えばアルミニウム合金製鋳物で形成されたもので、方形の平面状に形成されている。フェンス２５は外周部に沿って所定の幅で、フェンス２５の面に直角な方向の板厚が厚い枠状部と、枠状部の上下に架設された５本の格子部とを有している。
また、フェンス２５は、アルミニウム合金製鋳物に限定されず、例えば、アルミニウム型材を組み合わせ、組み合わせた型材をネジ等で固定することで、枠状部と格子部とを形成するものでもよい。また、アルミニウム合金に限定されず、例えば、鉄鋼材を溶接することによって枠部および格子部を形成してもよい。
フェンス２５に設けられる第一下側凹状係合部７ｂ、および一方の隣接フェンス２６Ｒに設けられる第二下側凹状係合部８ｂは、図１４に示すように、一方の支柱２３に対して第一実施形態と同様に設けられる。
フェンス２５に設けられる第一中間受部７ｃ、および一方の隣接フェンス２６Ｒに設けられる第二中間受部８ｃは、図１５に示すように、一方の支柱２３に対して第一実施形態と同様に設けられる。
【００５６】
フェンス２５の下端隅部２５ａは、図１２に示すように、フェンス２５の両側の側部における第一上側凹状係合部７ａ、第二上側凹状係合部８ａ、第一下側凹状係合部７ｂ、第二下側凹状係合部８ｂ、第一中間受部７ｃおよび第二中間受部８ｃが、所定の間隔で立設された二本の支柱である一方の支柱２３および他方の支柱２４に夫々係合された状態において、フェンス２５と同一平面で切断した台座２２の断面形状に所定隙間ｔ１を介して配置される形状で形成されている。
【００５７】
所定隙間ｔ１を介して配置される形状とは、対向する二つの物体の形状がせり合うことがなく，所定隙間ｔ１を間に介して相互に補い合える形状であり、例えば一方が凹であれば、他方は凸であるような関係にある形状である。第二実施形態においては、台座２２の側面（側方曲面２２ｂ）が膨らんだ曲面であるため、フェンス２５と同一平面で切断した台座２２の断面形状は前記曲面に含まれる曲線を有し、フェンス２５の下端隅部２５ａは、前記曲線に倣ったへこんだ曲線を含む曲面形状で構成される。
【００５８】
フェンス２５の下端隅部２５ａが、台座２２の外形面に対して所定隙間ｔ１を介して配置される形状で形成されているため、下端隅部２５ａによって、フェンス２５の下端２５ｂと配置面ＧＤとの間において、台座２２の高さ分を余分に上下方向に開口させる必要がなくなる。そのため、フェンス２５の下端２５ｂは、台座２２が載置された配置面ＧＤ（地面）との間に、最小限の隙間である所定の下端隙間ｔ２を設けて位置決めできる。
【００５９】
上記のように構成された組立式フェンス１の組み立てるには、台座と支柱との組み付け状態によって、２種類の方法が選択できる。
まず、台座と支柱とが分離した状態で、組立現場にフェンスが搬入される場合には、第一実施形態における「Ａ．先にフェンスを仮に立てた状態で支柱を組み付ける場合」と同様にして組立式フェンス２１が組み付けられる。
【００６０】
この場合、組立作業者は、台座２２を組立式フェンス２１で囲う場所の境界線に沿って配置する。その際、施工される一枚のフェンス２５の横幅に合わせて台座２２の間隔を決め、各台座２２を仮置きする。台座２２は、支持穴２２ｈが境界線の内側であって、側方平面２２ｃが境界線或いは隣接する家屋の壁と平行になるように位置決めする。
次に、台座２２の両側にフェンス２５およびフェンス２５に隣接する一方の隣接フェンス２６Ｒを立てて保持する。そして、支柱２３をフェンス２５および一方の隣接フェンス２６Ｒに組み付ける。この場合、支柱２３の立設作業は、支柱２３の下端部を台座２２の支持穴２２ｈに差し込むか、配置面ＧＤに差し込むかの相違に過ぎず、第一実施形態と同様の作業であるので、説明を省略する。
【００６１】
また、台座２２に支柱２３が固定された状態で、組立現場にフェンス２５が搬入される場合には、第一実施形態における「Ｂ．先に支柱を立てた状態でフェンスを組み付ける場合」と同様にして、組立式フェンス２１が組み立てられる。この場合、組立作業者は、支柱２３が一体となった台座２２を、組立式フェンス２１で囲う場所の境界線に沿って配置する。その際、施工される一枚のフェンス２５の横幅に合わせて台座２２の間隔を決め、各台座２２を仮置きする。この場合も、側方平面２２ｃが境界線或いは隣接する家屋の壁と平行になるように位置決めする。この後の組立作業は、支柱２３は、配置面ＧＤに下端部が差し込まれて立設されているか、台座２２の支持穴に差し込まれて利説されているかの相違に過ぎず、第一実施形態と同様の作業であるので、説明を省略する。
【００６２】
第二実施形態の組立式フェンスのコーナーの構造については、図１７および図１８に示している。図１７は、第二下側凹状係合部８ｂの上方で水平面により破断した断面図である。第一実施形態と同様に、フェンス２５の正面２５ｆおよび一方の隣接フェンス２６Ｒの正面２６ｆを、コーナーの大きな角度を形成する側に位置させて配置している。コーナーの支柱２３については、フェンス２５および隣接フェンス２６Ｒを垂直の平面上に並列させて支柱２３に組み付ける場合と同様である。
【００６３】
図１８は、台座２２の中間部において水平面により破断した断面図である。台座２２の側方平面２２ｃが境界線の一方に平行になるよう配置されている。隣接フェンス２６Ｒの配置が、側方曲面２２ｂ側に９０度ずれて配置される点について、フェンス２５および隣接フェンス２６Ｒを垂直の平面上に並列させて支柱２３に組み付ける場合と相違する。その他の構成は同様であるので説明を省略する。
コーナーを組立てる場合、まず、組立て作業者は、フェンス２５および隣接フェンス２６Ｒを夫々の側部が直角に突き合せた状態で保持する。次に、支柱２３の下端部を、第一・第二上側凹状係合部７ａ，８ａ、第一・第二中間受部７ｃ、８ｃ、第一・第二下側凹状係合部７ｂ、８ｂが夫々形成する穴を、順に通過させ、差込部を台座２２の支持穴２２ｈに差し込むことで、フェンス２５および隣接フェンス２６Ｒを組み付ける。なお、先にコーナーに台座２２に固定された支柱２３を配置しておき、フェンス２５、隣接フェンス２６Ｒの順に組み付けてもよい。
【００６４】
上述した記載で明らかなように、第二実施形態の組立式フェンス２１は、支柱２３，２４の下端部には、配置面ＧＤに載置され支柱２３，２４を支持する台座２２が設けられ、フェンス２５における両側の側部における第一上側凹状係合部７ａ、第二上側凹状係合部８ａ、第一下側凹状係合部７ｂ、第二下側凹状係合部８ｂおよび第一中間受部７ｃおよび８ｃが、所定の間隔で立設された二本の支柱２３，２４に夫々係合された状態において、フェンス２５の下端隅部２５ａは、台座２２との間に所定隙間ｔ１を介して配置される形状に形成され、フェンス２５の下端２５ｂは、台座２２が載置された配置面ＧＤとの間に所定の下端隙間ｔ２を設けて配置される形状に形成されている。
【００６５】
これによると、載置された場合に安定性の高い台座２２で、支柱２３を支持し、支柱に２３にフェンス２５を簡単に組み付けることができる。また、方形状のフェンス２５が二本の支柱２３，２４の間に支持された際に、フェンス２５の下端隅部２５ａは、フェンス２５が台座２２との間に所定隙間ｔ１を介して配置される形状に形成されているので、台座２２が載置された配置面ＧＤとフェンス２５の下端２５ｂとの間で、台座２２の高さ分だけ余分に上下方向に開口してしまうことがなくなる。これによって、台座２２の配置面ＧＤとフェンス２５の下端２５ｂとの所定下端隙間ｔ２を最小限とすることができ、フェンス２５内への動物の侵入、フェンス２５外へ動物の逃亡、および幼児の抜け出しを防止することができる。
【００６６】
なお、上述した実施形態において、支柱３、２３の形状を円柱状の棒材としたが、これに限定されず、例えば、断面が４角形、６角形、８角形などの角柱状でもよい。この場合、支柱の外周面と当接する上側凹状係合部および下側凹状係合部の支承部分の形状は、支柱の外周の形状に合わせて、四角、六角、八角などの面形状でよい。
【００６７】
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００６８】
１…組立式フェンス、３…一方の支柱（支柱）、３ａｆ…正面側外面、３ａｒ…裏面側外面、３ｂ…頭部、３ｃ…係止部、３ｄ…差込部、３ｅ…第二の差込部、４…他方の支柱、４ａｆ…正面側外面、４ａｒ…裏面側外面、４ｃ…係止部、５…フェンス、５ｆ…正面、５ｒ…裏面、５１Ｌ…一方の側部、５１Ｒ…他方の側部、６Ｌ…他方の隣接フェンス、６Ｒ…一方の隣接フェンス、７ａ…第一上側凹状係合部（上側凹状係合部）、７ｂ…第一下側凹状係合部（下側凹状係合部）、７ｃ…第一中間受部（中間受部）、８ａ…第二上側凹状係合部（上側凹状係合部）、８ｂ…第二下側凹状係合部（下側凹状係合部）、８ｃ…第二中間受部（中間受部）、２１…組立式フェンス、２２…台座、２２ｈ…支持穴、２３…一方の支柱（支柱）、２４…他方の支柱（支柱）、２５…フェンス、２５ａ…下端隅部、２５ｂ…下端、ｔ１…所定隙間、ｔ２…下端隙間。
【図１】
2016176296.tif 000003
【図２】
2016176296.tif 000004
【図３】
2016176296.tif 000005
【図４】
2016176296.tif 000006
【図５】
2016176296.tif 000007
【図６】
2016176296.tif 000008
【図７】
2016176296.tif 000009
【図８】
2016176296.tif 000010
【図９】
2016176296.tif 000011
【図１０】
2016176296.tif 000012
【図１１】
2016176296.tif 000013
【図１２】
2016176296.tif 000014
【図１３】
2016176296.tif 000015
【図１４】
2016176296.tif 000016
【図１５】
2016176296.tif 000017
【図１６】
2016176296.tif 000018
【図１７】
2016176296.tif 000019
【図１８】
2016176296.tif 000020
【図１９】
2016176296.tif 000021
【図２０】
2016176296.tif 000022